(57)【要約】      （修正有）【課題】簡便な構成でありながら任意の位置で室内の温度を効率的に調整できる空調機の提供。【解決手段】両端に開口を有するダクトホースからなる本体２と、該ダクトホースの一端側開口の内部に設置されて該一端側開口を吸気口２Ｘとして空気をダクトホース内に取り込むと共に他端側開口を排気口２Ｙとして取り込んだ空気を送り出す換気扇７と、該ダクトホースを略垂直方向に沿って立設状態に支持する移動可能な支持機構３とを備え、該支持機構３は、前記ダクトホースの上下を逆に倒立可能に支持するものである。【選択図】図１
0003198409.tif 000002
【実用新案登録請求の範囲】
【請求項１】
両端に開口を有するダクトホースからなる本体と、該ダクトホースの一端側開口の内部に設置されて該一端側開口を吸気口として空気をダクトホース内に取り込むと共に他端側開口を排気口として取り込んだ空気を送り出す換気扇と、該ダクトホースを略垂直方向に沿って立設状態に支持する移動可能な支持機構とを備え、該支持機構は、前記ダクトホースの上下を逆に倒立可能に支持することを特徴とする空調機。
【請求項２】
両端に開口を有するダクトホースからなる本体と、該ダクトホースの一端側開口の内部に設置されて該一端側開口を吸気口として空気をダクトホース内に取り込むと共に他端側開口を排気口として取り込んだ空気を送り出す換気扇と、該ダクトホースを略垂直方向に沿って立設状態に支持する支持機構とを備え、該支持機構は、前記ダクトホースの上下を逆に倒立可能に支持するものであり、
前記ダクトホースの他端側開口に着脱可能に連結されて略水平方向に延びる延長ホースを更に備え、
該延長ホースは、前記ダクトホースとの連結側とは反対側の端部が閉塞され、その全長にわたる側面に、外側に開放された複数個の排気穴が予め定められた間隔を持って設けられていることを特徴とする空調機。
【請求項３】
両端に開口を有するダクトホースからなる本体と、該ダクトホースの一端側開口の内部に設置されて該一端側開口を吸気口として空気をダクトホース内に取り込むと共に他端側開口を排気口として取り込んだ空気を送り出す換気扇と、該ダクトホースを略垂直方向に沿って立設状態に支持する支持機構とを備え、該支持機構は、前記ダクトホースの上下を逆に倒立可能に支持するものであり、
前記他端側開口に着脱可能に装着されて該開口を塞ぐキャップ部材を備え、該キャップ部材は、前記吸気口から取り込んだ空気を前記排気口から互いに異なる複数の方向へ送り出す複数個の開口窓を有していることを特徴とする空調機。
【請求項４】
両端に開口を有するダクトホースからなる本体と、該ダクトホースの一端側開口の内部に設置されて該一端側開口を吸気口として空気をダクトホース内に取り込むと共に他端側開口を排気口として取り込んだ空気を送り出す換気扇と、該ダクトホースを略垂直方向に沿って立設状態に支持する支持機構とを備え、該支持機構は、前記ダクトホースの上下を逆に倒立可能に支持するものであり、
前記ダクトホースは、少なくとも上下両端部領域が伸縮屈曲可能なフレキシブルホースであることを特徴とする空調機。
【考案の詳細な説明】
【技術分野】
【０００１】
本考案は、例えば室内空間における温度差を低減するための空調機に関するものである。
【背景技術】
【０００２】
ある程度閉鎖された室内空間では、冬の暖房、夏の冷房により、所定の温度範囲に調整されるが、暖かい空気は上方に溜まりやすく且つ冷たい空気は下方に溜まり易いため、同じ室内で異なる温度分布が生じることから、これを均一にする手立てが必要とされている。
【０００３】
たとえば、エアコンディショナー、所謂エアコンでは、送風口の向きと送風強度によって室温の均一化を図っている。しかしながら、エアコンは、固定位置に取り付けられた状態であるため、この調整はその付近でしか行えない。そこで、扇風機を用いて室内の空気を撹拌することもなされている。
【０００４】
一方、室内の空気を循環させるダクト手段が考えられている。例えば、特許文献１には、建屋の床、壁、天井の内部に中空の送風ダクトを形成し、その壁に室内機と室外機とを前後一体化して挿入し、屋内の空気を室内機および壁のダクトを通して循環させる空調設備が開示されている。
【０００５】
また、特許文献２には、建屋を構成している壁面とこれに対面する隔壁によって空気ダクトを形成し、空気循環ファンによってダクトの床付近の開口から天井付近の開口へ空気を循環する空気循環装置が開示されている。
【先行技術文献】
【特許文献】
【０００６】
【特許文献１】特開２００５−１１４２１５号公報
【特許文献２】特開２００１−１７４０１６号公報
【考案の概要】
【考案が解決しようとする課題】
【０００７】
しかしながら、上記のような空気循環のための設備は、室内全体の空気循環を行うものであるが、建物の構造部分に組み込まれるものであるため、室内での施工工事を必要とするコストの掛かる大がかりなものであった。しかも、室内空気循環に関しては略一方向に限られているため、変化する状況に応じた空調は困難であった。
【０００８】
本考案の目的は、上記問題点に鑑み、簡便な構成でありながら任意の位置で室内の温度を効率的に調整できる空調機を提供することにある。
【課題を解決するための手段】
【０００９】
本考案による空調機は、両端に開口を有するダクトホースからなる本体と、該ダクトホースの一端側開口の内部に設置されて該一端側開口を吸気口として空気をダクトホース内に取り込むと共に他端側開口を排気口として取り込んだ空気を送り出す換気扇と、該ダクトホースを略垂直方向に沿って立設状態に支持する移動可能な支持機構とを備え、該支持機構は、前記ダクトホースの上下を倒立可能に支持するものである。
【００１０】
従って、換気扇を備えたダクトホースを両端開口のどちらを上あるいは下にしても室内の任意の場所で支持機構によって設置することができるため、吸気口を上向きで排気口を下向きとして立設支持状態とすれば、該室内の上方の空気を下方へ供給することができ、逆に吸気口を下向きで排気口を上向きとして立設支持状態とすれば、室内の下方の空気を上方へ供給することができる。
【００１１】
即ち、例えば、冬の暖房状態においては、吸気口を上向きにした立設状態により室内の天井側に溜まっている暖かい空気を暖まり難い床上へ送り込むことができ、また、夏の冷房状態においては、ダクトホースの上下を逆に倒立させて吸気口を下向きにした立設状態とすることによって、床上に溜まった冷気を頭上へと送り込むことができる状態として、常に良好な空調を行うことができる。
【００１２】
そして、このような空調を、同じ室内でもより上下温度差が大きい場所など効果的な位置で、且つ室内空間にいる人の動向に邪魔にならない場所を任意に選択して行うことができ、しかも、状況の変化に応じて適宜設置位置を変更することも可能である。
【００１３】
以上の構成によって、本考案の空調機では、簡便な構成でありながら、常に状況に応じて室内温度を適切に調整することができ、固定されたエアコンによる暖房および冷房の空調の不均一性を簡便に任意の場所で補うことが可能となる。
【００１４】
また、店舗等、特に室内空間が比較的大きい場合には、本考案の空調機を複数設置してもよいが、一つの空調機にてダクトホースから排出される空気をより広い範囲へ送り出せるように、ダクトホースの排気口である他端側開口に延長ホースを連結できる構成としてもよい。
【００１５】
この場合、全長にわたる側面に複数個の排気穴が所定間隔をもって設けられた延長ホースを略水平方向に延びるように連結し、該延長ホースの連結側とは反対側の端部は閉塞されたものとすれば、吸気口から取り込んだ空気は、その延長ホースの延在領域にわたって各排気穴から排出され、より広い室内空間に供給することができる。
【００１６】
例えば、比較的長時間客が座っているような店舗では、冬季の暖房時は客が座る椅子の並びに沿って延長ホースが床上を水平方向に延びるように設置することによって、天井付近の暖かい空気を延長ホースの各穴から各椅子の足下へ送り込むことができる。逆に、夏の冷房時は、延長ホースを天井あるいは天井に近い壁面に水平方向に延びるように設置することによって、床上に溜まった冷たい冷気を頭上から各席へと送り込むことができる。
【００１７】
なお、ダクトホースは、基本的に直管型で良いが、延長ホースとの連結が容易となるように両端部分がホース中心軸に対して直交方向に屈曲していることが望ましい。そこで、ダクトホースの少なくとも上下両端部領域が伸縮屈曲可能なフレキシブルホースとすれば、このような屈曲を自在に行うことができる。またダクトホースの支持機構による支持部領域で自立性が確保できるのであれば、ダクトホースを全体的にフレキシブルホースで構成することもできる。フレキシブルホース領域を利用すれば、ダクトホースの望ましい立設位置において、梁等の出っ張り部分があっても、ホースを屈曲させて避けることも可能であるため、設置位置に自由度が得られる。また、延長ホースもフレキシブルホースとすれば、床や天井の構造に対応させて蛇行させることも可能となる。
【００１８】
フレキシブルホースとしては、ダクトホースとして既に市販されている様々なものが使用可能であり、例えば、伸縮、屈曲自在なアルミニウムを主材としたフレキシブルダクトホースなど、従来より空調ダクトに広く一般的に使用されている比較的低コストで扱いやすいものを適宜選択して採用することができる。
【００１９】
また、上記のような延長ホースを用いるほど広い室内空間にわたる分散送風が必要無い場合でも、一つの空調機の排気口から送り出される指向性が高い気流を、その場で複数の方向に分散させて空調したい場合には、排気口となるダクトホースの前記他端側開口に着脱可能に装着される気流分散手段を設ければよい。具体的には、該開口を塞ぐキャップ部材に、吸気口から取り込んだ空気を排気口から互いに異なる複数の方向へ送り出す開口窓を複数設けたものが簡便である。排気口から特定の場所へ指向性を持って空気を送り出したい場合には、該キャップ部材を取り外せば良い。
【００２０】
なお、キャップ部材自体に排出口を開閉するシャッター機構を設けると共に、前記複数の開口窓を開閉可能なものとすれば、キャップ部材を装着したままで、指向性気流と分散気流とを選択的に切り換えることができる。即ち、前記開口窓を閉じてシャッター機構を開状態とすることで指向性気流が得られ、シャッター機構を閉状態として前記開口窓を開ければ分散気流が得られる。
【００２１】
また、本考案の空調に用いられる換気扇としては、ダクトホース内に設置できるものであれば良く、例えば、パイプ用ファン、ダクト用ファンとして市販されているプロペラファンやターボファン、シロッコファン等を採用してダクトホースに組み込むのが簡便である。
【００２２】
本考案における支持機構としては、例えばダクトホースに外側から開放可能に嵌合するリング状嵌合部材と、該嵌合部材を支える三脚部とからなる構成が簡便なものとして挙げられる。嵌合部材はダクトホースを自立的に支えられるものであればよいが、ダクトホースの少なくとも被嵌合領域を、比較的硬質の円筒状スリーブ材で予め覆って該スリーブ材を介して嵌合部材を嵌合させる構成とすれば、直接嵌合する場合よりもダクトホースの嵌合部での負荷による潰れや摩耗が避けられ、より安定した支持状態が得られる。
【考案の効果】
【００２３】
本考案による空調機は、以上説明した通り、吸入口となる一端側開口の内部に換気扇が設置されたダクトホースを略鉛直方向に沿って、支持機構によって上下倒立可能に且つ移動可能に支持されて成るものであるため、任意の位置で室内の上方の暖かい空気を下方に送り出すことも下方の冷気を上方に送り出すこともできるため、簡便な構成でありながら、常に状況に応じて室内温度を適切に調整することができ、固定されたエアコンによる暖房および冷房の空調の不均一性を簡便に任意の場所で補うことが可能となる。          
【図面の簡単な説明】
【００２４】
【図１】本考案の一実施形態による空調機の概略構成を示す斜視図であり、（ａ）は暖房時空調状態、（ｂ）は冷房時空調状態である。
【図２】図１の空調機に延長ホースを連結して使用する場合の状態図であり、（ａ）は冷房時空調状態、（ｂ）は暖房時空調状態である。
【図３】図１の空調機の別の設置例を示す斜視図である。
【図４】図１の空調機に気流分散手段としてシャッター機構付きのキャップ部材を示す概略構成図であり、（ａ）はキャップ部材を装着した状態図、（ｂ）はキャップ部材の部分斜視部である。
【図５】図４のキャップ部材とは別のシャッター機構を示す模式図である。
【考案を実施するための形態】
【００２５】
本考案の一実施形態としての空調機を図１に示す。本実施形態による空調機１は、アルミ製のフレキシブルダクトホースからなる本体２を支持機構３により略鉛直方向に沿って立設して成るものである。支持機構３は、本体２の中央領域を覆う管状スリーブ４と、この管状スリーブ４を開閉可能に嵌合保持する枠部材５と、該枠部材５の下方に延びる三脚６とから構成されており、三脚６が置ける場所であればどこでも空調機１を自立的に設置することができる。
【００２６】
本体２のフレキシブルダクトホースの一端側開口は吸気口２Ｘとして内部に、例えばターボファン等の換気扇７が設置されており、他端側開口が排気口２Ｙと成っている。従って、図１（ａ）で示すように、吸気口２を上向きに、排気口２Ｙを下向きとしてダクトホースを立設すれば、冬季における暖房時、室内の上方に溜まっている暖かい空気を吸気口２Ｘから取り込んで、排気口２Ｙから暖め難い床上に送り込むことができる。
【００２７】
また、枠部材５を開いて本体２のフレキシブルダクトホースを支持機構３から取り外すことができるため、取り外した本体２の上下を倒立させて再び枠部材５内に閉じて立設させれば、図１（ｂ）に示すように、排気口２Ｙを上向きとし、吸気口２Ｘを下向きに設置することができる。この状態で換気扇７を駆動させれば、夏季における冷房時に、室内の下方に溜まった冷気を吸気口２Ｘから本体２のフレキシブルダクトホース内に取り込んで排気口２Ｙから頭上に排出することができる。
【００２８】
このように、本実施形態による空調機１によれば、略一年中、同一の空調機１で固定されたエアコンなどの冷暖房の偏りを補って、室内温度を均一に効率的に調整することができる。しかも、任意の場所に設置できるため、室内の最も温度差が大きくなる場所や、部屋の間取りや家具の配置等の邪魔にならない場所を選んで、状況に応じて設置箇所を移動させて常に効率的な空調を行うことができる。
【００２９】
上記の空調機１は、一般的な住居の室内だけでなく、店舗等でももちろん使用可能であるが、比較的広い室内空間においては、複数個の空調機１を設置することができる。また、一つの空調機１であっても、図２に示すように、他端部１２が塞がれ側面に所定間隔で複数個の排気穴１１が設けられた延長ホース１０を排気口２Ｙに連結することによって、広い範囲にわたる空調を実施できる。
【００３０】
例えば、飲食店などの場合、夏季には、図２（ａ）に示すように、吸気口２Ｘを下向きに排気口２Ｙを上向きにして立設した本体２のフレキシブルホースの該排気口２Ｙに延長ホース１０を連結し、天井梁２０に沿って水平方向に延在させれば、床上に溜まる冷気を吸気口２Ｘから取り込んで延長ホース１０の各排気穴１１から客席の頭上に送り出すことができる。
【００３１】
一方、冬季には、図２（ｂ）に示すように、吸気口２Ｘを上向きに排気口２Ｙを下向きにして立設した本体２の該排気口２Ｙに延長ホース１１を連結し、テーブル２１下に沿って水平方向に延在させれば、上方に溜まった暖気を吸気口２Ｘから取り込んで延長ホース１０の各排気穴１１から客席の足下に送り込むことができる。
【００３２】
なお、本実施形態における空調機１の本体２を構成するフレキシブルダクトホースおよび延長ホース自体は既存のダクトホースを採用できるため、連結においても、既存のダクト継手を用いて容易に着脱可能に延長ホース１０を連結することができる。
【００３３】
また、伸縮屈曲自在なフレキシブルダクトホースを用いることにより、支持機構による支持部付近を除く領域はどの方向にも屈曲可能である。従って、天井付近、床上など、設置場所の高さ空間に応じてダクトホースの両端部を屈曲させることもでき、また、屈曲方向を調整して空気を取り込む向き、排出する向きを自由に選択、変更することができる。
【００３４】
さらに、フレキシブルダクトホースを用いることによって、図３に示すように、空調機１の望ましい設置位置において、梁３０などが存在する場合であっても、本体２のダクトホースの延在方向を途中屈曲させて障害物を回避しながら設置することも可能である。
【００３５】
また、空調機１が設置される室内が、上記の広い店舗のような延長ホースを用いるほど広い空間ではない場合でも、吸気口２Ｘから取り込んだ空気を排気口２Ｙから複数の方向へ分散して送出したい場合がある。そこで、本体２のダクトホースの他端側開口からそのまま出てくる気流は、指向性が高いため、該開口に着脱可能に装着される気流分散手段を設けることが考えられる。
【００３６】
例えば、図４に示すような、ダクトホースの開口に装着されるキャップ部材１５として、側面全周に所定角度間隔で複数の開口窓１６を形成したものが挙げられる。このキャップ部材１５を排気口２Ｙに装着すれば、吸気口２Ｘから取り込んだ空気を各開口窓１６から互いに異なる複数の方向に分散して送り出すことができるので、一つの空調機１によるその場でのより均一な空調が行える。そしてこのキャップ部材１５を取り外せば、一つの排気口２Ｙから指向性のある排出気流が得られ、所望の場所に向かって空気を送り出して集中的な空調を行うことができる。
【００３７】
さらに、該キャップ部材１５がシャッター機構１７を備え、各開口窓１６が、例えばスライド窓等によって開閉可能なものとすれば、キャップ部材１５を装着したままで、指向性気流と分散気流との両方を選択的に切り換えて得ることができる。即ち、シャッター機構１７を閉状態として各開口窓１６を開ければ、これら開口窓１６からの分散気流が得られ、シャッター機構１７を開状態として各開口窓１６を閉じれば、キャップ部材１５の内場合と略同程度の指向性気流が得られる。
【００３８】
キャップ部材１５に備えるシャッター機構としては、できるだけ簡便な構成で軽量であることが望ましく、例えば、図４に示すシャッター機構１７は、キャップ部材１５の内径と略一致する外径の円形羽根１８を軸回転によって開口を塞ぐ角度位置と開口を開ける角度位置とに切り換えるものがある。なお、このシャッター機構１７では、円形羽根１８が回転するための本体２軸方向に比較的長い空間が必要となる。そこで、より占有空間が小さくて軽量なシャッター機構が好ましい。例えば、図５に示すような、開口面に沿った水平面上で放射状に配置された扇状平板が互いにスライドして開閉するスライドシャッター１９を採用することができる。
【００３９】
なお、以上の実施形態では、本体２の全体をフレキシブルダクトホースで構成したが、本考案はこれに限定されるものではなく、中央部は硬質の直管ダクトホースと両端部にフレキシブルダクトホースを連結する構成としても良い。この場合、管状スリーブ４を介することなく支持機構３の枠部材５で中央部の直管ダクトホースを直接支持することで本体２を自立的に安定して立設できる。
【００４０】
また、本考案の換気扇７としては、従来からダクトファンとして利用されている種々のものが採用可能である。特に、プロペラファンやターボファンの場合、羽根部分を取り外して洗浄できるように、着脱可能とするのが望ましい。
【符号の説明】
【００４１】
１：空調機
２：本体
２Ｘ：吸気口
２Ｙ：排気口
３：支持機構
４：管状スリーブ
５：枠部材
６：三脚
７：換気扇
１０：延長ホース
１１：排気穴
１２：延長ホース他端部
１５：キャップ部材
１６：開口窓
１７：シャッター機構
１８：円形羽根
１９：スライドシャッター
２０，３０：天井梁
２１：テーブル
【図１】
0003198409.tif 000003
【図２】
0003198409.tif 000004
【図３】
0003198409.tif 000005
【図４】
0003198409.tif 000006
【図５】
0003198409.tif 000007